(57)【要約】      （修正有）【課題】コンテンツ提供サービスと商品販売網との組合せを異にする複数のシリアルキャンペーンを効率的に組成する。【解決手段】シリアルコードの共通仕様と、各キャンペーンＩＤ等を設定しておくシリアルパラメータ記憶部１２と、共通仕様に従って複数のシリアルコードを生成し、各々に対応するキャンペーンＩＤを関連付けて第１のシリアル記憶部２０及び第２のシリアル記憶部２２に振分けて格納するシリアル生成部１４と、コンビニチェーンＢ、Ｃのシリアル発行依頼部２６、２８から発行依頼が送信されると、シリアル記憶部２０、２２の未発行のシリアルコードを送信し、これを発行済とする処理と、コンテンツプロバイダＤ、Ｅのシリアル適用依頼部３２，４０からシリアルコードが送信されると、シリアル記憶部２０、２２を参照し、発行済みで未適用の場合に適用可能を通知し、これを適用済みとする処理を実行するシリアル管理部２４を備えた。【選択図】図１
2015075811.tif 000002
【特許請求の範囲】
【請求項１】
コンテンツ提供サービスと商品販売網との組合せを異にする、複数のシリアルキャンペーンの実施を支援するシステムであって、
生成すべきシリアルコードの桁数及び文字種を規定する共通のコード仕様と、実施する各シリアルキャンペーンを識別するキャンペーンIDと、シリアルキャンペーン毎の生成数を含むパラメータを設定しておくシリアルパラメータ記憶手段と、
このパラメータに従って複数のシリアルコードを生成するシリアル生成手段と、
各シリアルコードに対応のキャンペーンIDを関連付けた上で、シリアルキャンペーン毎に異なるシリアル記憶手段に格納する手段と、
何れかの商品販売網に係るコンピュータから、キャンペーンIDを特定したシリアルコードの発行リクエストが送信された場合に、対応のシリアル記憶手段から未発行のシリアルコードを取り出し、当該コンピュータに送信するシリアル発行手段と、
当該シリアルコードに発行済の記録を施す手段と、
何れかのコンテンツ提供サービスに係るコンピュータからシリアルコードが送信された場合に、上記のシリアル記憶手段を参照し、当該シリアルコードが発行済みであり、かつ未適用であることを確認した上で、適用可能の通知を当該コンピュータに送信するシリアル確認手段と、
当該シリアルコードに適用済みの記録を施す手段と、
を備えたことを特徴とするシリアルキャンペーン支援システム。
【請求項２】
上記の商品販売網に係るコンピュータは、当該商品販売網に属する店舗の端末装置から送信された販売データ中に、キャンペーン対象商品の商品コードが含まれていた場合に、上記シリアルコードの発行リクエストを上記シリアル発行手段に送信し、
当該シリアル発行手段からシリアルコードが送信された場合に、これを上記端末装置に送信することを特徴とする請求項１に記載のシリアルキャンペーン支援システム。
【請求項３】
上記の商品販売網に係るコンピュータは、当該商品販売網を利用するユーザの通信端末から送信された注文データ中に、キャンペーン対象商品の商品コードが含まれていた場合に、上記シリアルコードの発行リクエストを上記シリアル発行手段に送信し、
当該シリアル発行手段からシリアルコードが送信された場合に、これを上記通信端末に送信することを特徴とする請求項１に記載のシリアルキャンペーン支援システム。
【請求項４】
上記のコンテンツ提供サービスに係るコンピュータは、ユーザの通信端末からシリアルコードが送信された場合に、当該シリアルコードを上記シリアル確認手段に送信し、
当該シリアル確認手段から適用可能の通知が送信された場合に、上記通信端末に応募受付のメッセージを送信すると共に、所定の特典付与に必要な処理を実行することを特徴とする請求項１〜３の何れかに記載のシリアルキャンペーン支援システム。
【発明の詳細な説明】
【技術分野】
【０００１】
この発明はシリアルキャンペーン支援システムに係り、特に、商品購入者にシリアルコードを発行しておき、当該シリアルコードを特定のコンテンツに関係するWebページ内で入力した者に対し所定の特典を付与する、いわゆるシリアルキャンペーンを支援する技術に関する。
【背景技術】
【０００２】
近時、商品（サービスを含む）の販売促進活動の一環として、いわゆるシリアルキャンペーンが頻繁に行われるようになってきている。
このシリアルキャンペーンとは、例えば、コンビニチェーンの店舗など特定の商品販売網（販売チャネル）においてキャンペーン対象商品を購入したユーザに対し、所定桁数のシリアルコードを発行しておき、このシリアルコードをユーザが携帯端末等を通じて特定のコンテンツ提供サービスに係るWebページ内で入力すると、商品交換可能なポイント等が特典として付与される仕組みを指す（非特許文献１参照）。
【０００３】
このようなキャンペーンの存在を事前に店舗内やコンテンツ提供サイト上で告知しておくことで、対象商品に対するユーザの購買意欲を刺激することが期待できる。
【非特許文献１】オリジナルグッズが当たる！「伊藤園×踊り子クリノッペ×ローソン キャンペーン」  インターネットURL：http://www.sgmaniax.net/2013/06/clinoppe-lawson.html  検索日：２０１３年９月１７日
【発明の開示】
【発明が解決しようとする課題】
【０００４】
ところで、このようなシリアルキャンペーンに要する費用は、一般に商品のメーカー側が負担し、商品販売網側やコンテンツプロバイダ側には取扱数量に応じた手数料が還元されることとなる。
このため、スポンサーであるメーカーとしては、より低コストで、より効果的な商品販売網やコンテンツを用いてキャンペーンを打ちたいと希望するのは当然のことである。
【０００５】
しかしながら、従来は広告代理店が主導する形で、シリアルキャンペーン毎に情報システムが新たに構築され、ユーザに発行されるシリアルコードも独自の仕様に基づいていた。
このため、同一商品について商品販売網及びコンテンツの組合せを異にする複数種類のシリアルキャンペーンを実施するとなると、それぞれに独自仕様のシステムを構築する必要が生じ、その分費用と時間を要するという問題があった。
【０００６】
また、シリアルコードの仕様が相互に異なるため、各シリアルキャンペーンの効果を単純には比較できないという問題があった。例えば、あるキャンペーンのシリアルコードが英数混じりの10桁であるのに対し、他のキャンペーンのシリアルコードが数字のみの13桁であった場合、両者における入力の難易度を勘案しなければならず、商品販売網の販売力やコンテンツの顧客誘引力を単純に比較することはできないことになる。
【０００７】
この発明は、従来のシリアルキャンペーンに纏わるこのような問題を解決するために案出されたものであり、特定の商品販売網及びコンテンツ提供サービスの組合せからなる複数のシリアルキャンペーンを効率的に組成できると共に、それぞれの効果を正確に比較可能なシリアルキャンペーン支援システムを提供することを目的としている。
【課題を解決するための手段】
【０００８】
上記の目的を達成するため、請求項１に記載したシリアルキャンペーン支援システムは、コンテンツ提供サービスと商品販売網との組合せを異にする、複数のシリアルキャンペーンの実施を支援するシステムであって、生成すべきシリアルコードの桁数及び文字種を規定する共通のコード仕様と、実施する各シリアルキャンペーンを識別するキャンペーンIDと、シリアルキャンペーン毎の生成数を含むパラメータを設定しておくシリアルパラメータ記憶手段と、このパラメータに従って複数のシリアルコードを生成するシリアル生成手段と、各シリアルコードに対応のキャンペーンIDを関連付けた上で、シリアルキャンペーン毎に異なるシリアル記憶手段に格納する手段と、何れかの商品販売網に係るコンピュータから、キャンペーンIDを特定したシリアルコードの発行リクエストが送信された場合に、対応のシリアル記憶手段から未発行のシリアルコードを取り出し、当該コンピュータに送信するシリアル発行手段と、当該シリアルコードに発行済の記録を施す手段と、何れかのコンテンツ提供サービスに係るコンピュータからシリアルコードが送信された場合に、上記のシリアル記憶手段を参照し、当該シリアルコードが発行済みであり、かつ未適用であることを確認した上で、適用可能の通知を当該コンピュータに送信するシリアル確認手段と、当該シリアルコードに適用済みの記録を施す手段とを備えたことを特徴としている。
【０００９】
請求項２に記載したシリアルキャンペーン支援システムは、請求項１に記載のシステムであって、さらに、上記の商品販売網に係るコンピュータが、当該商品販売網に属する店舗の端末装置から送信された販売データ中に、キャンペーン対象商品の商品コードが含まれていた場合に、上記シリアルコードの発行リクエストを上記シリアル発行手段に送信し、当該シリアル発行手段からシリアルコードが送信された場合に、これを上記端末装置に送信することを特徴としている。
【００１０】
請求項３に記載したシリアルキャンペーン支援システムは、請求項１に記載のシステムであって、さらに、上記の商品販売網に係るコンピュータは、当該商品販売網を利用するユーザの通信端末から送信された注文データ中に、キャンペーン対象商品の商品コードが含まれていた場合に、上記シリアルコードの発行リクエストを上記シリアル発行手段に送信し、当該シリアル発行手段からシリアルコードが送信された場合に、これを上記通信端末に送信することを特徴としている。
【００１１】
請求項４に記載したシリアルキャンペーン支援システムは、請求項１〜３に記載のシステムであって、さらに、上記のコンテンツ提供サービスに係るコンピュータが、ユーザの通信端末からシリアルコードが送信された場合に、当該シリアルコードを上記シリアル確認手段に送信し、当該シリアル確認手段から適用可能の通知が送信された場合に、上記通信端末に応募受付のメッセージを送信すると共に、所定の特典付与に必要な処理を実行することを特徴としている。
【発明の効果】
【００１２】
この発明に係るシリアルキャンペーン支援システムの場合、シリアル生成手段によって共通仕様のシリアルコードが生成され、これが複数のシリアルキャンペーン毎に振り分けられる仕組みを備えているため、商品販売網及び顧客誘引コンテンツを異にする複数のシリアルキャンペーンを低コストで並行実施することが可能となる。
また、各シリアルキャンペーンで用いられるシリアルコードの仕様が共通化されていることから、各シリアルキャンペーン間における効果の比較も容易かつ正確となる。
【発明を実施するための最良の形態】
【００１３】
図１は、この発明に係るシリアルキャンペーン支援システム10の全体構成を示すものであり、シリアルパラメータ記憶部12と、シリアル生成部14と、第１のシリアル記憶部20と、第２のシリアル記憶部22と、シリアル管理部24と、第１のシリアル発行依頼部26と、第２のシリアル発行依頼部28と、第１の顧客属性記憶部30と、第１のシリアル適用依頼部32と、第１のサービス提供部34と、第１の適用実績記憶部36と、第２の顧客属性記憶部38と、第２のシリアル適用依頼部40と、第２のサービス提供部42と、第２の適用実績記憶部44を備えている。
【００１４】
上記のシリアル生成部14、シリアル管理部24、第１のシリアル発行依頼部26、第２のシリアル発行依頼部28、第１のシリアル適用依頼部32、第１のサービス提供部34、第２のシリアル適用依頼部40及び第２のサービス提供部42は、所定のコンピュータのCPUが、OS及び専用のアプリケーションプログラムに従って所定の処理を実行することで実現される。
【００１５】
また、上記のシリアルパラメータ記憶部12、第１のシリアル記憶部20、第２のシリアル記憶部22、第１の顧客属性記憶部30、第１の適用実績記憶部36、第２の顧客属性記憶部38及び第２の適用実績記憶部44は、所定のコンピュータの外部記憶装置内に設けられている。
【００１６】
上記の各機能構成部の中、シリアルパラメータ記憶部12、シリアル生成部14、第１のシリアル記憶部20、第２のシリアル記憶部22、シリアル管理部24は、例えば、システムインテグレータＡによって管理されている。
【００１７】
また、第１のシリアル発行依頼部26は、第１のコンビニチェーン（商品販売網）Ｂの本部によって管理され、第２のシリアル発行依頼部28は、第２のコンビニチェーン（商品販売網）Ｃの本部によって管理されている。
【００１８】
さらに、第１の顧客属性記憶部30、第１のシリアル適用依頼部32、第１のサービス提供部34、第１の適用実績記憶部36は、第１のコンテンツプロバイダＤによって管理され、第２の顧客属性記憶部38、第２のシリアル適用依頼部40、第２のサービス提供部42、第２の適用実績記憶部44は、第２のコンテンツプロバイダＥによって管理されている。
【００１９】
第１の顧客属性記憶部30には、第１のコンテンツプロバイダＤが提供する各種コンテンツ提供サービス（オンラインゲームや動画配信等）に登録しているユーザの属性情報（ユーザID、氏名、生年月日、性別、メールアドレス、加入年月日、課金／非課金等）が格納されている。
同様に、第２の顧客属性記憶部38には、第２のコンテンツプロバイダＥが提供する各種コンテンツに登録しているユーザの属性情報（ユーザID、氏名、生年月日、性別、メールアドレス、加入年月日、課金／非課金等）が格納されている。
【００２０】
まず、シリアルキャンペーンの実施に先立ち、管理端末46上に立ち上げられた設定画面（図示省略）を通じて、シリアルパラメータ記憶部12にシリアルコードのパラメータが格納される。
ここで設定されるパラメータとしては、シリアルコードの桁数や文字種、実施キャンペーン数、各キャンペーンのID、キャンペーン毎の生成件数等が該当する。
【００２１】
このシリアルパラメータ記憶部12にパラメータが設定されると、シリアル生成部14が起動し、設定された数のキャンペーン毎に、設定された件数分のシリアルコードを生成する。
例えば、パラメータとして16桁の半角数字が設定されている場合、シリアル生成部14は既存の乱数発生エンジンを用いて15桁の乱数を生成した後、これに１桁のチェックデジットを付加することにより、16桁のシリアルコードを生成する。このチェックデジットは、例えば「モジュラス１０」等の公知の技術を用いて生成される。
【００２２】
シリアル生成部14は、生成した各シリアルコードを含むレコードを、第１のシリアル記憶部20及び第２のシリアル記憶部22に格納する。
この際、シリアル生成部14はユニークチェックを実行し、重複するシリアルコードのレコードが複数存在する場合には、一つを残して他のレコードを削除する。
図２は、第１のシリアル記憶部20及び第２のシリアル記憶部22に格納されるレコードの構造を例示するものであり、それぞれキャンペーンID、シリアルコード、生成日時、発行日時、適用日時等のデータ項目を備えている。
【００２３】
以下、図３のフローチャートに従い、このシステム10を用いたシリアルキャンペーンにおける処理手順を説明する。
まず、第１のコンビニチェーンＢ及び第１のコンテンツプロバイダＤの組合せによって実施される第１のシリアルキャンペーンの期間中に、ユーザが第１のコンビニチェーンＢに属する何れかの店舗において、キャンペーン対象商品50を含む商品を購入すると、POSレジ端末52から第１のシリアル発行依頼部26に対して、各購入商品のコードが送信される。
【００２４】
そして、上記の各商品コード中にキャンペーン対象商品のコードが含まれていることを検知した第１のシリアル発行依頼部26は、シリアル管理部24に対してキャンペーンIDを特定したシリアル発行のリクエストを送信する（Ｓ10）。
【００２５】
これに対しシリアル管理部24は、第１のシリアル記憶部20から未発行のシリアルコードを取り出し、第１のシリアル発行依頼部26に送信した後（Ｓ12）、該当レコードの発行日時に現在の日時を記述し、発行済の記録を行う（Ｓ14）。
【００２６】
第１のシリアル発行依頼部26は、このシリアルコードをPOSレジ端末52に転送する（Ｓ16）。
この結果、このシリアルコードが印字されたレシート54がPOSレジ端末52から排出され、ユーザに交付される。
【００２７】
ユーザは、自己のスマートフォン56から第１のコンテンツプロバイダＤが運営するゲームサイトにアクセスし、キャンペーン応募ページに設けられた入力フィールドにシリアルコードを入力する。
このシリアルコードを受け付けた第１のシリアル適用依頼部32は、シリアル管理部24に当該シリアルコードを送信して、その適用の可否を照会する（Ｓ18）。
【００２８】
これに対しシリアル管理部24は、第１のシリアル記憶部20を参照し、当該シリアルコードが存在すること、当該シリアルコードが発行済みであること、当該シリアルコードが未適用であることを確認した上で（Ｓ20）、「適用可能」の電文を第１のシリアル適用依頼部32に送信する（Ｓ22）。同時にシリアル管理部24は、該当のレコードに対して適用日時を記述し、適用済の記録を行う（Ｓ24）。
【００２９】
一方、シリアル管理部24から「適用可能」の電文を受け取った第１のシリアル適用依頼部32は、第１のサービス提供部34に対して、必要な処理を依頼する。
これに対し第１のサービス提供部34は、まずユーザのスマートフォン56にキャンペーンへの応募を有効に受け付けた旨のメッセージを送信する（Ｓ26）。
つぎに第１のサービス提供部34は、図示しないポイント管理システムに対し当該ユーザのID及びポイント数を送信してポイント加算を依頼する、あるいは図示しない景品発送用のデータベースに対して当該ユーザのIDを発送先として追加する、といったサービス提供処理を実行する（Ｓ28）。
さらに第１のサービス提供部34は、適用したシリアルコードと適用日時及びユーザIDを第１の適用実績記憶部36に格納する（Ｓ30）。
【００３０】
また、第２のコンビニチェーンＣ及び第２のコンテンツプロバイダＥの組合せによって実施される第２のシリアルキャンペーンの期間中に、ユーザが第２のコンビニチェーンＣにおいてキャンペーン対象商品50を含む商品を購入した場合にも、POSレジ端末52から第２のシリアル発行依頼部28に対して、各購入商品のコードが送信される。
【００３１】
そして、上記の各商品コード中にキャンペーン対象商品のコードが含まれていることを検知した第２のシリアル発行依頼部28は、シリアル管理部24に対してキャンペーンIDを特定したシリアル発行のリクエストを送信する（Ｓ32）。
【００３２】
これに対しシリアル管理部24は、第２のシリアル記憶部20から未発行のシリアルコードを取り出し、第２のシリアル発行依頼部28に送信した後（Ｓ34）、該当レコードの発行日時に現在の日時を記録し、発行済の記録を行う（Ｓ36）。
【００３３】
第２のシリアル発行依頼部28は、このシリアルコードをPOSレジ端末52に転送する（Ｓ38）。
この結果、このシリアルコードが印字されたレシート54がPOSレジ端末52から排出され、ユーザに交付される。
【００３４】
ユーザは、自己のスマートフォン56から第２のコンテンツプロバイダＥが運営するゲームサイトにアクセスし、キャンペーン応募ページに設けられた入力フィールドにシリアルコードを入力する。
このシリアルコードを受け付けた第２のシリアル適用依頼部40は、シリアル管理部24に当該シリアルコードを送信して、その適用の可否を照会する（Ｓ40）。
【００３５】
これに対しシリアル管理部24は、第２のシリアル記憶部20を参照し、当該シリアルコードが存在すること、当該シリアルコードが発行済みであること、当該シリアルコードが未適用であることを確認した上で（Ｓ42）、「適用可能」の電文を第２のシリアル適用依頼部40に送信する（Ｓ44）。同時にシリアル管理部24は、該当のレコードに対して適用日時を記述し、適用済の記録を行う（Ｓ46）。
【００３６】
一方、シリアル管理部24から「適用可能」の電文を受け取った第２のシリアル適用依頼部40は、第２のサービス提供部42に対して、必要な処理を依頼する。
これに対し第２のサービス提供部42は、上記と同様、まずユーザのスマートフォン56にキャンペーンへの応募を有効に受け付けた旨のメッセージを送信した後（Ｓ48）、ユーザに対する特典付与に必要なサービス提供処理を実行する（Ｓ50）。
さらに第２のサービス提供部42は、適用したシリアルコードと適用日時及びユーザのIDを第２の適用実績記憶部44に格納する（Ｓ52）。
【００３７】
キャンペーン期間が経過した後、第１のシリアル記憶部20や第２のシリアル記憶部22等に蓄積されたデータを解析することにより、各シリアルキャンペーンの効果を定量的に計測することが可能となる。
【００３８】
図４は、このデータ解析フェイズにおけるシステム10の機能構成を示すものであり、効果判定部60と、第１のシリアル記憶部20と、第２のシリアル記憶部22と、第１の適用実績記憶部36と、第１の顧客属性記憶部30と、第１のコンテンツ利用履歴記憶部62と、第２の適用実績記憶部44と、第２の顧客属性記憶部38と、第２のコンテンツ利用履歴記憶部64を備えている。
【００３９】
上記効果判定部60は、システムインテグレータＡが管理するコンピュータのCPUが、OS及び専用のアプリケーションプログラムに従って所定の処理を実行することで実現される。
【００４０】
上記第１のコンテンツ利用履歴記憶部62は、第１のコンテンツプロバイダＤの管理するコンピュータ内に設けられており、第１のコンテンツプロバイダＤにおける各ユーザのコンテンツ利用履歴（利用日時、利用内容等）が、ユーザIDに関連付けて格納されている。
また、上記第２のコンテンツ利用履歴記憶部64は、第２のコンテンツプロバイダＥの管理するコンピュータ内に設けられており、第２のコンテンツプロバイダＥにおける各ユーザのコンテンツ利用履歴（利用日時、利用内容等）が、ユーザIDに関連付けて格納されている。
【００４１】
効果判定部60は、管理端末46からのリクエストを受けて各種データ解析処理を実行する。
例えば、効果判定部60は、第１のシリアル記憶部20に記録された発行済みのシリアルコードの数量と、第２のシリアル記憶部22に格納された発行済みのシリアルコードの数量を単純に比較し、数量が多い方の商品販売網を他方よりも「販売能力が高い」と判定し、その判定結果が記述された画面（図示省略）を管理端末46に送信する。
【００４２】
あるいは、効果判定部60は、第１のシリアル記憶部20に記録された適用済みのシリアルコードの数量と、第２のシリアル記憶部22に格納された適用済みのシリアルコードの数量を比較し、数量が多い方のコンテンツを他方よりも「顧客誘引能力が高い」と判定し、その判定結果が記述された画面を管理端末46に送信する。
この際、単純に適用済みのシリアルコードの数量を比較するのではなく、適用数量／発行数量で算出される適用比率で比較することもできる。
【００４３】
さらに効果判定部60は、各ユーザの属性情報やコンテンツの利用履歴に基いて、より高度な解析を実行することもできる。
上記の通り、第１の適用実績記憶部36及び第２の適用実績記憶部44には、各ユーザのユーザIDに関連付けてシリアルコードの適用実績情報が格納されているため、この情報と各コンテンツプロバイダが保有している各ユーザの属性情報や当該サイトにおける利用履歴情報と照らし合わせることにより、シリアルキャンペーンの効果を様々な観点から解析することが可能となる。
【００４４】
例えば、第１の顧客属性記憶部30及び第２の顧客属性記憶部38に格納された各ユーザの性別を参照することにより、当該シリアルキャンペーンに応募したユーザの性別比率を導くことができる。
【００４５】
また、第１の顧客属性記憶部30及び第２の顧客属性記憶部38に格納された各ユーザの契約種別（課金／非課金）と契約日時を参照することにより、シリアルキャンペーン応募後に有料会員となったユーザ数を導くことができ、シリアルキャンペーンがコンテンツプロバイダにとって経済効果があったか否かを判定することが可能となる。
【００４６】
あるいは、第１のコンテンツ利用履歴記憶部62及び第２のコンテンツ利用履歴記憶部64に格納された各ユーザのコンテンツ利用状況（利用日時）を参照することにより、シリアルキャンペーン応募後に利用を再開したか否か、応募後の利用頻度がそれ以前よりも高まったか否か等を判定することが可能となる。
【００４７】
上記のように、このシリアルキャンペーン支援システム10の場合、シリアル生成部14によって共通仕様のシリアルコードが生成され、これが第１のシリアルキャンペーン用と第２のシリアルキャンペーン用に振り分けられる仕組みを備えているため、商品販売網及び誘引コンテンツを異にする複数のシリアルキャンペーンを低コストで並行実施することが可能となる。
【００４８】
また、各シリアルキャンペーンで用いられるシリアルコードの仕様が共通化されているため、両シリアルキャンペーンにおける効果の比較も容易かつ正確となり、次回からは効果が低い方の商品販売網及びコンテンツを外し、効果の高い方の商品販売網及びコンテンツにその分の資金を集中させる、といった判断を導くことも可能となる。
【００４９】
上記にあっては、第１のシリアルキャンペーンと第２のシリアルキャンペーンが同時期に開催される例を示したが、この発明に係るシリアルキャンペーン支援システム10は、同種商品に対する３つ以上のシリアルキャンペーンを同時期に開催する場合にも適用可能であることはいうまでもない。
この場合、シリアル生成部14は共通の仕様に従って生成したシリアルコードを、第１のシリアル記憶部20〜第ｎのシリアル記憶部に振り分けて格納する。
【００５０】
この発明に係るシリアルキャンペーン支援システム10は、上記のシステム構成に限定されるものではなく、例えば、第１のシリアル記憶部20を第１のコンテンツプロバイダＤの管理するコンピュータシステム内に移設すると共に、第２のシリアル記憶部22を第２のコンテンツプロバイダＥの管理するコンピュータシステム内に移設することもできる。
この場合、シリアル管理部24に相当する機能構成部は、第１のコンテンツプロバイダＤの管理するコンピュータシステム内及び第２のコンテンツプロバイダＥの管理するコンピュータシステム内にそれぞれ設けられる。
【００５１】
上記にあっては、シリアル管理部24から送信されたシリアルコードが、POSレジ端末52によってレシート上にそのまま印字される例を示したが、シリアルコードをバーコードや二次元コードに変換した形でレシート上に印字してもよい。この場合、ユーザはスマートフォン56の専用アプリを用いてバーコード等をシリアルコードに変換し、第１のシリアル適用依頼部32や第２のシリアル適用依頼部40に送信する。
【００５２】
シリアルコードをレシート54や他の紙片上に印刷するかわりに、無線通信を利用してPOSレジ端末52からユーザのスマートフォン56にシリアルコードを直接送信することも可能である。
【００５３】
シリアル生成部14によって生成されたシリアルコードを、様々な観点から分割することもできる。
図５は、この場合のシステム構成を示すものであり、シリアル分割部70により、第１のシリアル記憶部20及び第２のシリアル記憶部22内に格納されたシリアルコードがそれぞれ３つのグループに分割され、第１の分割シリアル記憶部72a〜72c及び第２の分割シリアル記憶部74a〜74cに格納される様子が描かれている。
【００５４】
シリアル分割部70は、システムインテグレータＡが管理するコンピュータのCPUが、OS及び専用のアプリケーションプログラムに従って所定の処理を実行することで実現される。
また、第１の分割シリアル記憶部72a〜72c及び第２の分割シリアル記憶部74a〜74cは、同コンピュータの外部記憶装置内に設けられている。
【００５５】
各シリアルコードは、例えば、キャンペーンの期間が７月〜９月の３ヶ月間であったとした場合に、月単位で７月用、８月用、９月用の３つに分割される。
あるいは、キャンペーンの実施地域が関東、中部、関西の３地域であったとした場合に、地域単位で３つに分割される。
【００５６】
このようにシリアルコードが複数のグループに分割されている場合、シリアル管理部24はシリアルコードの発行に際して、対応のグループに属するシリアルコードを選定する。
【００５７】
例えば、月単位でシリアルコードが３分割されている事例において、第１のシリアル発行依頼部26からシリアル発行リクエストが送信された日時が８月であった場合、シリアル管理部24は８月用の第１の分割シリアル記憶部72bからシリアルコードを取り出して第１のシリアル発行依頼部26に送信すると同時に、該当レコードに発行日時を記録する。
【００５８】
あるいは、地域単位でシリアルコードが３分割されている事例において、関西エリアに所在するコンビニ店舗のPOSレジ端末52から対象商品の売上データが送信された場合、第２のシリアル発行部28からは地域特定情報を含むシリアル発行リクエストが送信される。これに対しシリアル管理部24は、関西用の第２の分割シリアル記憶部74cからシリアルコードを取り出して第２のシリアル発行依頼部28に送信すると同時に、該当レコードに発行日時を記録する。
【００５９】
もちろん、シリアルコードの分割数は３つに限定されるものではなく、必要に応じて他の分割数を採用することができる。
この分割数や、各グループに振り分けられるシリアルコードの件数は、予めシリアルパラメータ記憶部12に格納されており、シリアル分割部70はこの設定値（指令）を参照することにより、各シリアルコードを複数のグループに分割する。
【００６０】
このように、シリアルコードを予め期間や地域毎に細分化し、それぞれ別個のデータベース（ファイル）に格納しておくことにより、データ解析時におけるデータの識別性が向上し、後続処理の簡素化に貢献できる。
【００６１】
上記においては、「商品販売網」として複数のコンビニ店舗を傘下に収めるコンビニチェーンを挙げ、各コンビニ店舗内のPOSレジ端末52とコンビニ本部のコンピュータ（第１のシリアル発行依頼部26及び第２のシリアル発行依頼部28）との間でネットワークが形成される例を示したが、この発明はこれに限定されるものではない。
【００６２】
例えば、「商品販売網」として特定の通販サイト（電子モール）を選定し、この通販サイトを利用するユーザの通信端末（PCやスマートフォン等）から送信された注文データ中にキャンペーン対象商品の商品コードが含まれていた場合に、当該通販サイトのコンピュータ（シリアル発行依頼部）からシリアル管理部24に対してシリアルコードの発行リクエストが送信されるように構成してもよい。
この場合、シリアル管理部24から送信されたシリアルコードは通販サイトのコンピュータを介してユーザの通信端末に転送される。
【図面の簡単な説明】
【００６３】
【図１】この発明に係るシリアルキャンペーン支援システムの全体構成を示すブロック図である。
【図２】第１のシリアル記憶部及び第２のシリアル記憶部に格納されるレコードの構造を示す図である。
【図３】このシリアルキャンペーン支援システムにおける処理手順を示すフローチャートである。
【図４】データ解析フェイズにおけるシリアルキャンペーン支援システムの機能構成を示すブロック図である。
【図５】シリアルコードを複数のグループに分割する場合におけるシリアルキャンペーン支援システムの機能構成を示すブロック図である。
【符号の説明】
【００６４】
10   シリアルキャンペーン支援システム
12   シリアルパラメータ記憶部
14   シリアル生成部
20   第１のシリアル記憶部
22   第２のシリアル記憶部
24   シリアル管理部
26   第１のシリアル発行依頼部
28   第２のシリアル発行依頼部
30   第１の顧客属性記憶部
32   第１のシリアル適用依頼部
34   第１のサービス提供部
36   第１の適用実績記憶部
38   第２の顧客属性記憶部
40   第２のシリアル適用依頼部
42   第２のサービス提供部
44   第２の適用実績記憶部
46   管理端末
50   キャンペーン対象商品
52   POSレジ端末
54   レシート
56   スマートフォン
60   効果判定部
62   第１のコンテンツ利用履歴記憶部
64   第２のコンテンツ利用履歴記憶部
70   シリアル分割部
72   第１の分割シリアル記憶部
74   第２の分割シリアル記憶部
Ａ   システムインテグレータ
Ｂ   第１のコンビニチェーン
Ｃ   第２のコンビニチェーン
Ｄ   第１のコンテンツプロバイダ
Ｅ   第２のコンテンツプロバイダ
【図１】
2015075811.tif 000003
【図２】
2015075811.tif 000004
【図３】
2015075811.tif 000005
【図４】
2015075811.tif 000006
【図５】
2015075811.tif 000007